(57)【要約】【課題】鏡筒に保持されたレンズが結像する焦点像を顕微鏡で観察し、その観察結果に基づいてレンズを位置調整する方法において、光路延長部材を用いる際にそれを正確に位置決めする。【解決手段】物体からの光が入射するレンズ22および、該レンズ22を保持する鏡筒21を有してなり、レンズ22の焦点像を顕微鏡で観察する際に光路延長部材25を用いるようにしたレンズユニット201において、鏡筒21の一部に、その内部に配置された光路延長部材25のレンズ22側を向く前端面25ｂを受ける受け面21ｂを有する受け部21ａを形成するとともに、光路延長部材25の後端面25ｃよりも後方に位置して、前記受け面21ａに対して直角に延びるガイド挿入孔21ｄおよびこのガイド挿入孔21ｄの周囲において前記受け面21ａと平行に延びる取付面21ｅを有する取付部21ｃを形成する。【選択図】図５
2010237261.tif 000002
【特許請求の範囲】
【請求項１】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、その内部に配置された光路延長部材の前記レンズ側を向く前端面を受ける受け面を有する受け部が形成されるとともに、前記光路延長部材の後端面よりも後方に位置して、前記受け面に対して直角に延びるガイド挿入孔およびこのガイド挿入孔の周囲において前記受け面と平行に延びる取付面を有する取付部が形成されていることを特徴とするレンズユニット。
【請求項２】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、その内部に配置された光路延長部材の前記レンズ側を向く前端面と直角に交わる側面を受ける受け面を有する受け部が形成されるとともに、前記光路延長部材の後端面よりも後方に位置して、前記受け面に対して直角に延びるガイド挿入孔およびこのガイド挿入孔の周囲において前記受け面と平行に延びる取付面を有する取付部が形成されていることを特徴とするレンズユニット。
【請求項３】
前記鏡筒に、その中心軸に交わる方向から前記光路延長部材を受け入れる開口が形成されていることを特徴とする請求項１または２記載のレンズユニット。
【請求項４】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、該鏡筒の中心軸に対して略直角な受け面を有する受け部が形成されるとともに、前記光路延長部材の後端面よりも後方に位置して、前記受け面に対して直角に延びるガイド挿入孔およびこのガイド挿入孔の周囲において前記受け面と平行に延びる取付面を有する取付部が形成されていることを特徴とするレンズユニット。
【請求項５】
前記鏡筒に、その中心軸に対して平行な方向から前記光路延長部材を受け入れる開口が形成されていることを特徴とする請求項４記載のレンズユニット。
【請求項６】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材の周面を受けて該光路延長部材を位置決めする複数の突起が形成されていることを特徴とするレンズユニット。
【請求項７】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材に固定された複数のフランジ部を受承して該光路延長部材を位置決めするフランジ受け溝が形成されていることを特徴とするレンズユニット。
【請求項８】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材に固定された１つのフランジ部を受承して該光路延長部材を位置決めするフランジ受け溝および、この光路延長部材の周面を受けて該光路延長部材を位置決めする受け部が形成されていることを特徴とするレンズユニット。
【請求項９】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材に固定された１つのフランジ部を互いに異なる箇所で受承して該光路延長部材を位置決めする複数のフランジ受け溝が形成されていることを特徴とするレンズユニット。
【請求項１０】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、略角柱状に形成された前記光路延長部材を緊密に受承して該光路延長部材を位置決めする受け穴が形成されていることを特徴とするレンズユニット。
【請求項１１】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、略角柱状に形成された前記光路延長部材の１つの側面に各々が当接してこの側面を位置決めする複数の第１組の突起および、光路延長部材の前記１つの側面と交わる方向に延びる別の側面に各々が当接してこの別の側面を位置決めする複数の第２組の突起が形成されていることを特徴とするレンズユニット。
【請求項１２】
前記第１組の突起および第２組の突起として、各々３個ずつ突起が形成されていることを特徴とする請求項１２記載のレンズユニット。
【請求項１３】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、フランジ部が固定された前記光路延長部材を鏡筒の中心軸と交わる方向から受け入れる開口が形成されるとともに、この開口の周囲部分において前記フランジと当接して前記光路延長部材を位置決めする当接部が形成されていることを特徴とするレンズユニット。
【請求項１４】
前記鏡筒の前記開口の周囲部分に、前記フランジに形成された係合部と係合する少なくとも１つの係合部が形成されていることを特徴とする請求項１３記載のレンズユニット。
【請求項１５】
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材の側面に形成された位置決めピンを受承して所定位置まで案内する案内溝が形成されていることを特徴とするレンズユニット。
【発明の詳細な説明】
【技術分野】
【０００１】
本発明はカメラ等に用いられるレンズユニット、より詳しくは、物体からの光が入射するレンズが鏡筒に保持されてなり、鏡筒内に配置した光路延長部材を利用してレンズの位置調整を行うようにしたレンズユニットに関するものである。
【背景技術】
【０００２】
例えばカメラのズームレンズ等、最も物体側に固定レンズ（使用時に光軸方向に移動されることのないレンズ）の群を有するレンズユニットにおいては、その全長をより短くしようとすると、各レンズ群の屈折力が強いものとなる。そうであると、レンズ群同士の軸ズレや倒れが、結像状態に敏感に反映して像質の低下を招くことになる。
【０００３】
特に例えば特許文献１に示されているように、固定レンズ群の中で光路を９０°折り曲げる光学部材を備えてなるいわゆる屈曲光学系においては、そのような構成を採用する本来の目的である小型化のために、より屈折力が強いレンズが採用されるので、レンズ群同士の軸ズレや倒れが、より敏感に像質低下につながるようになる。
【０００４】
上述のような問題を招かないためには、レンズ群を構成する個々のレンズが鏡筒内で、偏心や軸ズレが無くて、所定の光学性能が得られる状態に組み付けられる必要がある。そのためにズームレンズ等においては、各レンズを上記の状態とするための位置調整作業が必要となっている。
【０００５】
そのようなレンズ位置調整を行う場合、前述の固定レンズ等に対しては、鏡筒に保持したままの状態で位置調整をすることが多い。そしてその固定レンズ等が正の屈折力を有するものである場合は、該レンズが結像する焦点像を顕微鏡で観察し、その観察結果に基づいてレンズを位置調整することがなされている。
【先行技術文献】
【特許文献】
【０００６】
【特許文献１】特開２００７−１９９４０６号公報
【発明の概要】
【発明が解決しようとする課題】
【０００７】
従来、上述のように顕微鏡を利用するレンズの位置調整方法においては、顕微鏡による焦点像の観察が難しいという問題が認められている。以下、この問題について、図３および図４を参照して詳しく説明する。
【０００８】
これらの図において、１が鏡筒、２および３が図中左方に有る物体からの光４が入射する固定レンズ、５が焦点像観察に使われる顕微鏡である。先に説明したように固定レンズ２、３が正の屈折力が強いものである場合、その焦点位置Ａは比較的レンズ２、３に近い位置にある。それに対して、鏡筒１の後端に突き付き合わせた顕微鏡５の観察位置Ｂが図３に示す位置にあると、顕微鏡５による焦点像の観察が不可能になる。この状況下で焦点像の観察を可能にするためには、図４に示すように顕微鏡５を、その前端が鏡筒１の後端よりも前方に位置するように配設する必要がある。しかし、そのようにすることは、一般には顕微鏡５と鏡筒１とが干渉するので不可能である。その干渉を避けるために、顕微鏡５を組み入れて受容できる特殊な構造に鏡筒１を形成することも考えられるが、その場合は鏡筒１のコストアップを招き、ひいてはレンズユニットが高価なものになってしまうという問題が発生する。
【０００９】
そこで、鏡筒に保持されたレンズが結像する焦点像を顕微鏡で観察し、その観察結果に基づいてレンズを、所定の光学性能が得られる状態に位置調整する際に、顕微鏡による像観察を容易化することが望まれている。
【００１０】
そのために、光路延長部材を利用したレンズ位置調整方法が考えられている。このレンズ位置調整方法は、
物体からの光が入射するレンズおよび、該レンズを保持する鏡筒を有してなるレンズユニットにおいて、
前記レンズの焦点像を顕微鏡で観察し、その観察結果に基づいて該レンズを所定の状態に位置調整するレンズ位置調整方法であって、
前記レンズの後方側において前記鏡筒内に、該レンズの焦点位置を後方側つまり物体と反対側に延ばす光路延長部材を配置し、
その状態で前記焦点像の観察を行うことを特徴とするものである。
【００１１】
上述のようなレンズ位置調整方法を実施するに当たっては、鏡筒に対して光路延長部材を所定の相対位置に正しく配置することが必要となる。そこで本発明は、鏡筒に対して光路延長部材を所定の相対位置に正しく配置することができるレンズユニットを提供することを目的とする。
【課題を解決するための手段】
【００１２】
本発明による第１のレンズユニットは、
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、その内部に配置された光路延長部材の前記レンズ側を向く前端面を受ける受け面を有する受け部が形成されるとともに、前記光路延長部材の後端面よりも後方に位置して、前記受け面に対して直角に延びるガイド挿入孔およびこのガイド挿入孔の周囲において前記受け面と平行に延びる取付面を有する取付部が形成されていることを特徴とするものである。
【００１３】
なお上記レンズの位置調整としては、鏡筒の中心軸に対してレンズの軸ズレや倒れが無い状態にする位置調整や、光軸方向の位置調整、他のレンズ群に対する軸ズレを直す調整、他のレンズとの間で収差等を相補的に低減してレンズ全体で所定の光学性能が得られるようにする調整等が挙げられる。
【００１４】
また、本発明による第２のレンズユニットは、
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、その内部に配置された光路延長部材の前記レンズ側を向く前端面と直角に交わる側面を受ける受け面を有する受け部が形成されるとともに、前記光路延長部材の後端面よりも後方に位置して、前記受け面に対して直角に延びるガイド挿入孔およびこのガイド挿入孔の周囲において前記受け面と平行に延びる取付面を有する取付部が形成されていることを特徴とするものである。
【００１５】
なお、以上説明した２つのタイプのレンズユニットにおいては、前記鏡筒に、その中心軸と交わる方向から前記光路延長部材を受け入れる開口が形成されていることが望ましい。
【００１６】
また、本発明による第３のレンズユニットは、
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、該鏡筒の中心軸に対して略直角な受け面を有する受け部が形成されるとともに、前記光路延長部材の後端面よりも後方に位置して、前記受け面に対して直角に延びるガイド挿入孔およびこのガイド挿入孔の周囲において前記受け面と平行に延びる取付面を有する取付部が形成されていることを特徴とするものである。
【００１７】
なお、このタイプのレンズユニットにおいては、前記鏡筒に、その中心軸に対して平行な方向から前記光路延長部材を受け入れる開口が形成されていることが望ましい。
【００１８】
また、本発明による第４のレンズユニットは、
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材の周面を受けて該光路延長部材を位置決めする複数の突起が形成されていることを特徴とするものである。
【００１９】
また、本発明による第５のレンズユニットは、
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材に固定された複数のフランジ部を受承して該光路延長部材を位置決めするフランジ受け溝が形成されていることを特徴とするものである。
【００２０】
また、本発明による第６のレンズユニットは、
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材に固定された１つのフランジ部を受承して該光路延長部材を位置決めするフランジ受け溝および、この光路延長部材の周面を受けて該光路延長部材を位置決めする受け部が形成されていることを特徴とするものである。
【００２１】
また、本発明による第７のレンズユニットは、
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材に固定された１つのフランジ部を互いに異なる箇所で受承して該光路延長部材を位置決めする複数のフランジ受け溝が形成されていることを特徴とするものである。
【００２２】
また、本発明による第８のレンズユニットは、
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、略角柱状に形成された前記光路延長部材を緊密に受承して該光路延長部材を位置決めする受け穴が形成されていることを特徴とするものである。
【００２３】
また、本発明による第９のレンズユニットは、
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、略角柱状に形成された前記光路延長部材の１つの側面に各々が当接してこの側面を位置決めする複数の第１組の突起および、光路延長部材の前記１つの側面と交わる方向に延びる別の側面に各々が当接してこの別の側面を位置決めする複数の第２組の突起が形成されていることを特徴とするものである。
【００２４】
なお上述のような第１組の突起および第２組の突起は、各々３個ずつ形成されることが特に望ましい。
【００２５】
また、本発明による第１０のレンズユニットは、
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、フランジ部が固定された前記光路延長部材を鏡筒の中心軸と交わる方向から受け入れる開口が形成されるとともに、この開口の周囲部分において前記フランジと当接して前記光路延長部材を位置決めする当接部が形成されていることを特徴とするものである。
【００２６】
なお上記鏡筒の前記開口の周囲部分には、前記フランジに形成された係合部と係合する少なくとも１つの係合部が形成されていることが望ましい。
【００２７】
また、本発明による第１１のレンズユニットは、
物体からの光が入射するレンズおよび、該レンズを保持する鏡筒を有してなるレンズユニットであって、
前記レンズの焦点像を顕微鏡で観察し、その観察結果に基づいて該レンズを所定の状態に位置調整するために、前記レンズの後方側において前記鏡筒内に、該レンズの焦点位置を後方側に延ばす光路延長部材を配置し、その状態で前記焦点像の観察がなされるレンズユニットにおいて、
前記鏡筒の一部に、前記光路延長部材の側面に形成された位置決めピンを受承して所定位置まで案内する案内溝が形成されていることを特徴とするものである。
【発明の効果】
【００２８】
本発明による第１のレンズユニットにおいては、鏡筒の一部に、その内部に配置された光路延長部材の前記レンズ側を向く前端面を受ける受け面を有する受け部が形成されるとともに、前記光路延長部材の後端面よりも後方に位置して、前記受け面に対して直角に延びるガイド挿入孔およびこのガイド挿入孔の周囲において前記受け面と平行に延びる取付面を有する取付部が形成されているので、ガイド挿入孔に挿入されるガイド部材の向きを予め精度を出して所定方向に設定しておけば、鏡筒が例えば前述の顕微鏡の光軸と中心軸が一致する向きに設定され、そして光路延長部材が、その光軸が鏡筒の中心軸と平行になる所定向きに設定されることになる。
【００２９】
また本発明による第２のレンズユニットにおいては、鏡筒の一部に、その内部に配置された光路延長部材の前記レンズ側を向く前端面と直角に交わる側面を受ける受け面を有する受け部が形成されるとともに、前記光路延長部材の後端面よりも後方に位置して、前記受け面に対して直角に延びるガイド挿入孔およびこのガイド挿入孔の周囲において前記受け面と平行に延びる取付面を有する取付部が形成されているので、この場合もガイド挿入孔に挿入されるガイド部材の向きを予め精度を出して所定方向に設定しておけば、鏡筒が例えば前述の顕微鏡の光軸と中心軸が一致する向きに設定され、そして光路延長部材が、その光軸が鏡筒の中心軸と平行になる所定向きに設定されることになる。
【００３０】
なお、以上説明した２つのタイプのレンズユニットにおいて、鏡筒に、その中心軸と交わる方向から前記光路延長部材を受け入れる開口が形成されている場合は、この開口を通して光路延長部材を鏡筒内に配置した後、それらを光軸方向に相対移動させることにより、両者の光軸方向相対位置を簡単に調整できるようになる。
【００３１】
また、本発明による第３のレンズユニットにおいては、鏡筒の一部に、該鏡筒の中心軸に対して略直角な受け面を有する受け部が形成されるとともに、前記光路延長部材の後端面よりも後方に位置して、前記受け面に対して直角に延びるガイド挿入孔およびこのガイド挿入孔の周囲において前記受け面と平行に延びる取付面を有する取付部が形成されているので、この場合もガイド挿入孔に挿入されるガイド部材の向きを予め精度を出して所定方向に設定しておけば、鏡筒が例えば前述の顕微鏡の光軸と中心軸が一致する向きに設定され、そして光路延長部材が、その光軸が鏡筒の中心軸と平行になる所定向きに設定されることになる。
【００３２】
また、本発明による第４のレンズユニットにおいては、鏡筒の一部に、前記光路延長部材の周面を受けて該光路延長部材を位置決めする複数の突起が形成されているので、これらの突起に光路延長部材の周面を受けさせることにより、光路延長部材を所定の向き、例えばその光軸が鏡筒の中心軸と平行になる向きに配設可能となる。
【００３３】
また、本発明による第５のレンズユニットにおいては、鏡筒の一部に、前記光路延長部材に固定された複数のフランジ部を受承して該光路延長部材を位置決めするフランジ受け溝が形成されているので、光路延長部材に固定された複数のフランジ部をフランジ受け溝に受承させることにより、光路延長部材を所定の向き、例えばその光軸が鏡筒の中心軸と平行になる向きに配設可能となる。
【００３４】
また、本発明による第６のレンズユニットにおいては、鏡筒の一部に、前記光路延長部材に固定された１つのフランジ部を受承して該光路延長部材を位置決めするフランジ受け溝および、この光路延長部材の周面を受けて該光路延長部材を位置決めする受け部が形成されているので、光路延長部材に固定されたフランジ部をフランジ受け溝に受承させ、そして光路延長部材の周面を上記受け部に受けさせることにより、光路延長部材を所定の向き、例えばその光軸が鏡筒の中心軸と平行になる向きに配設可能となる。
【００３５】
また、本発明による第７のレンズユニットにおいては、鏡筒の一部に、前記光路延長部材に固定された１つのフランジ部を互いに異なる箇所で受承して該光路延長部材を位置決めする複数のフランジ受け溝が形成されているので、光路延長部材に固定されたフランジ部を上記複数のフランジ受け溝に受承させることにより、光路延長部材を所定の向き、例えばその光軸が鏡筒の中心軸と平行になる向きに配設可能となる。
【００３６】
また、本発明による第８のレンズユニットにおいては、鏡筒の一部に、略角柱状に形成された前記光路延長部材を緊密に受承して該光路延長部材を位置決めする受け穴が形成されているので、この受け穴に光路延長部材を受承させることにより、光路延長部材を所定の向き、例えばその光軸が鏡筒の中心軸と平行になる向きに配設可能となる。
【００３７】
また、本発明による第９のレンズユニットにおいては、鏡筒の一部に、略角柱状に形成された前記光路延長部材の１つの側面に各々が当接してこの側面を位置決めする複数の第１組の突起および、光路延長部材の前記１つの側面と交わる方向に延びる別の側面に各々が当接してこの別の側面を位置決めする複数の第２組の突起が形成されているので、それら２組の突起により光路延長部材の上記２つの側面の向きを所定方向に設定でき、ひいては光路延長部材を所定の向き、例えばその光軸が鏡筒の中心軸と平行になる向きに配設可能となる。
【００３８】
なお上述のような第１組の突起および第２組の突起が、各々３個ずつ形成されている場合は、光路延長部材がガタつくことなく所定向きに配設されるようになる。
【００３９】
また、本発明による第１０のレンズユニットにおいては、鏡筒の一部に、フランジ部が固定された前記光路延長部材を鏡筒の中心軸と交わる方向から受け入れる開口が形成されるとともに、この開口の周囲部分において前記フランジと当接して前記光路延長部材を位置決めする当接部が形成されているので、この当接部にフランジを当接させることにより、光路延長部材を所定の向き、例えばその光軸が鏡筒の中心軸と平行になる向きに配設可能となる。
【００４０】
なお、上記鏡筒の前記開口の周囲部分に、上記フランジに形成された係合部と係合する少なくとも１つの係合部が形成されている場合は、フランジが当接部に対して（つまり鏡筒に対して）当接したままその当接面内で回ってしまうようなことを防止できるので、より確実な位置決め効果が得られる。
【００４１】
また、本発明による第１１のレンズユニットにおいては、鏡筒の一部に、前記光路延長部材の側面に形成された位置決めピンを受承して所定位置まで案内する案内溝が形成されていることので、位置決めピンをこの案内溝に受承させて所定位置まで動かすことにより、該ピンと連結している光路延長部材を所定の向き、例えばその光軸が鏡筒の中心軸と平行になる向きに配設可能となる。
【図面の簡単な説明】
【００４２】
【図１】光路延長部材を利用してレンズ位置調整がなされるレンズユニットの、レンズ位置調整前の状態を示す一部破断側面図
【図２】図１のレンズユニットの、レンズ位置調整時の状態を示す一部破断側面図
【図３】従来のレンズ位置調整方法の問題を説明する図
【図４】従来のレンズ位置調整方法の問題を説明する図
【図５】本発明の第１の実施形態によるレンズユニットを示す一部破断側面図
【図６】本発明の第２の実施形態によるレンズユニットを示す一部破断側面図
【図７】本発明の第３の実施形態によるレンズユニットを示す一部破断側面図
【図８】本発明の第４の実施形態によるレンズユニットを示す一部破断斜視図
【図９】本発明の第５の実施形態によるレンズユニットを示す一部破断正面図
【図１０】本発明の第６の実施形態によるレンズユニットを示す一部破断斜視図
【図１１】本発明の第７の実施形態によるレンズユニットを示す一部破断斜視図
【図１２】本発明の第８の実施形態によるレンズユニットを示す一部破断斜視図
【図１３】図１２のレンズユニットの一部を示す部分平面図
【図１４】本発明の第９の実施形態によるレンズユニットを示す一部破断斜視図
【図１５】本発明の第１０の実施形態によるレンズユニットを示す一部破断斜視図
【図１６】本発明の第１１の実施形態によるレンズユニットを示す一部破断斜視図
【図１７】本発明の第１２の実施形態によるレンズユニットを示す一部破断斜視図
【図１８】本発明の第１３の実施形態によるレンズユニットを示す一部破断斜視図
【図１９】本発明の第１４の実施形態によるレンズユニットを示す一部破断斜視図
【図２０】本発明の第１５の実施形態によるレンズユニットを示す一部破断斜視図
【図２１】本発明の第１６の実施形態によるレンズユニットを示す一部破断斜視図
【図２２】本発明の第１７の実施形態によるレンズユニットを示す一部破断斜視図
【符号の説明】
【００４３】
１、21    鏡筒
２、３    レンズ
５    顕微鏡
11、22    固定レンズ
12、25、25′、25″、27    光路延長部材
21ａ    鏡筒の受け部
21ｂ    鏡筒の受け面
21ｃ    鏡筒の取付部
21ｄ    鏡筒のガイド挿入孔
21ｅ    鏡筒の取付面
21ｆ    鏡筒の貫通孔
21ｇ    鏡筒の受け部
21ｈ    鏡筒の受け面
21ｉ    鏡筒の受け部
21ｊ    鏡筒の側壁
21ｋ    鏡筒の位置決め突起
21ｍ    鏡筒のフランジ受け溝
21ｎ    鏡筒の受け部
21ｐ    鏡筒の受け面
21ｑ    鏡筒の案内溝
21ｒ    鏡筒のフランジ受け溝
21ｓ    鏡筒の受け穴
21ｔ    鏡筒の位置決め突起
21ｖ    鏡筒の側壁
21ｗ    鏡筒の貫通孔
21ｘ    鏡筒の側壁
21ｙ    鏡筒の開口
21ｚ    鏡筒の案内溝
25ａ    光路延長部材の周面
25ｂ    光路延長部材の前端面
25ｃ    光路延長部材の後端面
26    位置決め突起
27ａ    光路延長部材の側面
27ｂ    光路延長部材の前端面
27ｃ    光路延長部材の後端面
32    取付部材
【発明を実施するための形態】
【００４４】
以下、図面を参照して本発明の実施形態を詳細に説明する。まず、本発明のレンズユニットに施されるレンズ位置調整方法の概要について、図１および図２を参照して説明する。なおこれらの図１および図２において、既に説明した図３および図４中の要素と同等の要素には同番号を付してあり、それらについての説明は特に必要のない限り省略する（以下、同様）。
【００４５】
本例のレンズユニット10は、例えばカメラのズームレンズ等を構成するものであって、図中左側から物体からの光が入射する固定レンズ11および、該レンズ11を保持する円筒状の鏡筒１を有している。なお、鏡筒１において固定レンズ11の後方側つまり物体と反対側には、例えばズームレンズを構成する移動レンズ群が保持されるが、それについては説明を省略する。
【００４６】
凸レンズである固定レンズ11は、所定の状態に、つまり例えば光軸が中心軸Ｏに対して軸ズレや倒れを起こしていない状態に位置調整して、該鏡筒１に保持される必要がある。特にレンズユニット10の全長をより短くしようとすると、固定レンズ11として屈折力が強いものが適用されるが、その場合は、上記軸ズレや倒れが結像状態に敏感に反映して像質の低下を招くことになる。
【００４７】
なお固定レンズ11の位置調整としては、上に例示したものの他、光軸方向の位置調整、他のレンズ群に対する軸ズレを直す調整、他のレンズとの間で収差等を相補的に低減してレンズ全体で所定の光学性能が得られるようにする調整等が挙げられる。
【００４８】
本例の方法は、この固定レンズ11の位置調整のために適用されるものであり、そのためにまず、固定レンズ11の焦点像が顕微鏡５によって観察される。つまり、この焦点像を顕微鏡によって拡大観察すると、上記軸ズレや倒れが有る場合はその像がいわゆるコマ状に歪むので、それが解消されるように、鏡筒１内で固定レンズ11の位置を調整する。なおこの固定レンズ11の位置調整作業は、具体的には例えば前記特許文献１に記載されているようにしてなされるものであるが、それは本発明には直接関係しないので、詳しい説明は省略する。
【００４９】
本例のレンズユニット10において、固定レンズ11の焦点位置は本来、図１中にＡで示す位置にある。それに対して顕微鏡５の観察位置は図中Ｂの位置にあって、固定レンズ11の焦点位置Ａから離れている。なお同図に示すように、鏡筒１の後端面から焦点位置Ａまでの距離をＬ2、顕微鏡５の前端面からその観察位置Ｂまでの距離をＷＤとする。
【００５０】
この状態のままでは、顕微鏡５による焦点像の観察が不可能であるので、図２に示すように鏡筒１内において固定レンズ11の後方側に光路延長部材12を配置する。この光路延長部材12は、均一な屈折率ｎ（１＜ｎ）を有する光学ガラス等の部材から形成され、固定レンズ11に近い方の端面である前端面12ａと、固定レンズ11から遠い方の端面である後端面12ｂとが互いに平行な円柱状とされている。なお光路延長部材12は、鏡筒１の後方端つまり図中の右端から該鏡筒１内に挿入される。
【００５１】
上記光路延長部材12が配置されると、固定レンズ11の焦点位置Ａは、光路延長部材12の長さをＤとして（ｎ−１）Ｄだけ後方側に延びるようになる。それにより、顕微鏡５を鏡筒１に干渉させることなく、顕微鏡５の観察位置Ｂを固定レンズ11の焦点位置Ａに合わせることが可能になるので、固定レンズ11の焦点像を顕微鏡５によって容易に観察可能となる。より詳しく説明すると、顕微鏡５が鏡筒１と干渉しないための条件は、図２から明らかな通りＬ2−（ｎ−１）Ｄ＜ＷＤ、つまりはＬ2−ＷＤ＜（ｎ−１）Ｄである。
【００５２】
以上の通りにして固定レンズ11の焦点像を顕微鏡５によって観察しながら、その固定レンズ11の位置調整作業が行われ、それが終了すると、光路延長部材12は鏡筒１から取り外される。
【００５３】
次に図５を参照して、本発明の第１の実施形態によるレンズユニット201について説明する。このレンズユニット201も、例えばカメラのズームレンズ等を構成するものであって、物体からの光が入射する凸レンズである固定レンズ22、プリズム23および、凹レンズである別の固定レンズ24と、それらの光学要素を保持する角筒状の鏡筒21とを有している。プリズム23は２つのレンズ22および24の間において光路を９０°折り曲げるものであり、それによりこのレンズユニット201は、いわゆる屈曲光学系となっている。
【００５４】
このレンズユニット201は、カメラの使用状態下で固定レンズ24が被写体側を向くように配置される。そこで、被写体からの光はこの固定レンズ24およびプリズム23を介して、固定レンズ22に図中左側から入射する。なお、鏡筒21において固定レンズ22の後方側つまり物体と反対側には、例えばズームレンズを構成する移動レンズ群が保持されるが、それについては説明を省略する。
【００５５】
本例においても固定レンズ22は、所定の状態に、つまり例えば光軸が中心軸Ｏに対して軸ズレや倒れを起こしていない状態に位置調整して、該鏡筒21に保持される必要がある。特にレンズユニット201の全長をより短くしようとすると、固定レンズ22として屈折力が強いものが適用されるが、その場合は、上記軸ズレや倒れが結像状態に敏感に反映して像質の低下を招くことになる。その上本例においては、カメラの小型化のために前述の通りの屈曲光学系が採用されており、この場合はカメラの小型化のために、固定レンズ22としてより屈折力が強いものが適用されることが多いので、上記問題がさらに起きやすくなっている。
【００５６】
本実施形態においても、固定レンズ22の位置調整のために固定レンズ22の焦点像が図示外の顕微鏡によって観察される。そしてこの場合も、固定レンズ22の後方側において鏡筒21内に光路延長部材25を配置して、固定レンズ22の焦点位置を後方側に延ばし、その状態で焦点像の観察が行われるので、基本的に、図１、２に示した例におけるのと同様の効果が得られる。なお焦点像を観察しながら行われる固定レンズ22の位置調整も前述の実施形態におけるのと同様になされるものであり、それについての重複した説明は省略する（以下、同様）。
【００５７】
ここで図５は、光路延長部材25が鏡筒21に対して位置決め固定される前の状態を示している。以下、この状態からなされる光路延長部材25の位置決め固定について説明する。光路延長部材25は一例として円筒状に形成されており、固定レンズ22の側を向く前端面25ｂおよび反対側の後端面25ｃは、その周面25ａに対して正確に直角となる向きに形成されている。
【００５８】
一方鏡筒21の、光路延長部材前端面25ｂに近い位置には、この前端面25ｂを受ける受け面21ｂを有する受け部21ａが形成されている。また鏡筒21の、光路延長部材後端面25ｃよりも後方の位置には、取付部21ｃが形成されている。この取付部21ｃは、上記受け面21ｂに対して直角に延びる２つのガイド挿入孔21ｄおよび、このガイド挿入孔21ｄの周囲において上記受け面21ｂと平行に延びる取付面21ｅを有するものである。
【００５９】
そして測定台30には、光路延長部材25の周面25ａを下から受け止める２つの保持部材31および、鏡筒21を取り付ける取付部材32が突設されている。取付部材32は、一例として２つのガイドピン32ａと、これらのガイドピン32ａに対して垂直とされた平滑な保持面32ｂとを有している。図示外の顕微鏡はこの図において鏡筒21から右側に離れた位置に配されて、前述したような焦点像の観察に使用される。上記ガイドピン32ａは、上記顕微鏡の光軸と平行になる向きに配設されている。
【００６０】
なお取付部材32には貫通孔32ｃが形成され、また鏡筒21の取付部21ｃにも貫通孔21ｆが形成されているので、光路延長部材25から出射する光はこれらの貫通孔21ｆ、32ｃを通って上記顕微鏡に入射し得る。
【００６１】
光路延長部材25の位置決め固定に際しては、この光路延長部材25が上述のようにして２つの保持部材31の上に載置保持される。鏡筒21は側壁部の一部（図中の下方部）が開口しており、鏡筒21はこの開口を通して光路延長部材25を内部空間に収めるように（図示の状態）、上から下に向けて動かされる。こうして鏡筒21の内部空間に光路延長部材25が入った状態になると、次に鏡筒21は図中の右方に移動される。すると２本のガイドピン32ａが取付部21ｃのガイド挿入孔21ｄ内に進入し、そのまま鏡筒21はその取付面21ｅが取付部材32の保持面32ｂと接するまで右方に移動される。こうして鏡筒21が移動されると、最終的に光路延長部材25の前端面25ｂが、鏡筒21の受け面21ｂに接するようになる。
【００６２】
以上の状態になると、鏡筒21の中心軸Ｏが顕微鏡の光軸と一致し、また光路延長部材25の光軸もこの中心軸Ｏと一致する状態となる。このようにして、本実施形態のレンズユニット201によれば、簡単な作業によって光路延長部材25を、その光軸が鏡筒21の中心軸Ｏと一致する状態に位置決め固定することが可能になる。
【００６３】
次に図６を参照して、本発明の第２の実施形態によるレンズユニット202について説明する。このレンズユニット202は図５に示したレンズユニット201と比べると基本的に、受け部21ａの代わりに別の受け部21ｇが設けられた点が異なるものである。この受け部21ｇは、光路延長部材25の前端面25ｂと直角な側面（周面25ａ）を受けるものであり、その受け面は鏡筒21の中心軸Ｏと平行に延びる湾曲面とされている。
【００６４】
この実施形態においても、光路延長部材25の位置決め固定は第１の実施形態におけるのと同様になされるが、この場合は光路延長部材25の位置が上記受け部21ｇによって規定されることになる。そして受け部21ｇは上記の通りの形状を有するものであるので、この場合も、鏡筒21の中心軸Ｏが顕微鏡の光軸と一致し、また光路延長部材25の光軸が中心軸Ｏと一致する状態が得られる。
【００６５】
次に図７を参照して、本発明の第３の実施形態によるレンズユニット203について説明する。このレンズユニット203は、図５に示したレンズユニット201と比べると基本的に、受け部21ａの代わりに別形状の受け部21ｉが設けられた点が異なるものである。この受け部21ｉは鏡筒21の外側に形成されたもので、鏡筒21の中心軸Ｏに対して直角に形成された受け面21ｈを有する。
【００６６】
また取付部材32には、光路延長部材25をその光軸がガイドピン32ａと平行となる状態に保持する保持部36が設けられている。さらに取付部材32は図中左端の位置に、上下方向に伸縮可能とされたアーム32ｈを有し、その上端には当て面32ｅを有する保持部32ｆが形成されている。上記当て面32ｅは、ガイドピン32ａと垂直に延びるように形成されている。
【００６７】
光路延長部材25を位置決め固定する際には、まず取付部21ｃのガイド挿入孔21ｄにガイドピン32ａを通して、鏡筒21が取付部材32に固定される。次に、それまで図示の位置よりも上に有った上記アーム32ｈが下方に動かされて、保持部32ｆが、その当て面32ｅに受け部21ｉの受け面21ｈが当接する図示の状態とされる。
【００６８】
以上の状態になってから、取付部材32の貫通孔32ｃを通して光路延長部材25が下から保持部36内に通され、そこに保持される。あるいは、このように光路延長部材25を保持部36に保持させてから、保持部32ｆを、その当て面32ｅに受け部21ｉの受け面21ｈが当接する状態に設定しても構わない。いずれにしてもこの状態になると、鏡筒１の中心軸Ｏと光路延長部材25の光軸が一致する状態となる。
【００６９】
次に図８を参照して、本発明の第４の実施形態によるレンズユニット204について説明する。なおこの図８は、鏡筒21の手前側の側壁および上側の側壁は破断して示してある。このレンズユニット204は、鏡筒21の１つの側壁21ｊの上に、一例として４つの位置決め突起21ｋが形成されてなるものである。これらの位置決め突起21ｋの上面は、円筒状の光路延長部材25の周面25ａを緊密に受ける湾曲面とされている。このような複数の位置決め突起21ｋを所定形状としておくことにより、光路延長部材25を、その光軸が鏡筒21の中心軸と一致する状態に位置決めすることが可能になる。
【００７０】
なおこの実施形態では、光路延長部材25を受ける面が湾曲面とされた位置決め突起21ｋが適用されているが、図９に示す第５の実施形態のように、光路延長部材25を受ける面が平面とされた位置決め突起26を適用することもできる。
【００７１】
次に図１０を参照して、本発明の第６の実施形態によるレンズユニット205について説明する。このレンズユニット205は、鏡筒21の１つの側壁21ｊの上に、一例として２つのフランジ受け溝21ｍが形成されてなるものである。ここで用いられる光路延長部材25′は図示の通り、両端部にそれぞれフランジ部25ｄ、25ｅを有するものであって、該光路延長部材25′はそれらのフランジ部25ｄ、25ｅが各々上記フランジ受け溝21ｍ内に緊密に入り込む状態にして、鏡筒21に取り付けられる。それによりこの場合も光路延長部材25′を、その光軸が鏡筒21の中心軸と一致する状態に位置決めすることが可能になる。
【００７２】
次に図１１を参照して、本発明の第７の実施形態によるレンズユニット206について説明する。このレンズユニット206は、鏡筒21の１つの側壁21ｊの上に、１つのフランジ受け溝21ｍおよび受け部21ｎが形成されてなるものである。上記受け部21ｎは、光路延長部材25の周面25ａを緊密に受ける円弧状の受け面21ｐを有するものである。
【００７３】
ここで用いられる光路延長部材25″は図示の通り、一端部にフランジ部25ｄを有するものであって、該光路延長部材25″はそのフランジ部25ｄが上記フランジ受け溝21ｍ内に緊密に入り込み、そしてその周面25ａが上記受け面21ｐに受け止められる状態にして、鏡筒21に取り付けられる。それによりこの場合も光路延長部材25″を、その光軸が鏡筒21の中心軸と一致する状態に位置決めすることが可能になる。
【００７４】
次に図１２および図１３を参照して、本発明の第８の実施形態によるレンズユニット207について説明する。このレンズユニット207は、鏡筒21の互いに向かい合う側壁21ｖに、それぞれフランジ受け溝21ｒが形成されてなるものである。
【００７５】
ここで用いられる光路延長部材25″は図示の通り、一端部にフランジ部25ｄを有するものであって、該光路延長部材25″はそのフランジ部25ｄが上記１対のフランジ受け溝21ｒ内に緊密に入り込む状態にして、鏡筒21に取り付けられる。それによりこの場合も光路延長部材25″を、その光軸が鏡筒21の中心軸と一致する状態に位置決めすることが可能になる。なお上述のようなフランジ受け溝21ｒを、３つの側壁部分にそれぞれ設けるようにしてもよい。
【００７６】
次に図１４を参照して、本発明の第９の実施形態によるレンズユニット208について説明する。このレンズユニット208は、鏡筒21の１つの側壁21ｊの上に、四角形の受け穴21ｓが形成されてなるものである。
【００７７】
ここで用いられる光路延長部材27は図示の通り、４つの側面27ａ、前端面27ｂおよび後端面27ｃを有する直方体状のものであって、該光路延長部材27は一部が上記受け穴21ｓ内に緊密に入り込む状態にして、鏡筒21に取り付けられる。それによりこの場合も光路延長部材27を、その光軸が鏡筒21の中心軸と一致する状態に位置決めすることが可能になる。
【００７８】
次に図１５を参照して、本発明の第１０の実施形態によるレンズユニット209について説明する。このレンズユニット209は、鏡筒21の１つの側壁21ｊと、それと直交するもう１つの側壁21ｖの上に、それぞれ３個ずつの位置決め突起21ｔが形成されてなるものである。
【００７９】
ここで用いられる光路延長部材27は図１４に示したものと同様、４つの側面27ａ、前端面27ｂおよび後端面27ｃを有する直方体状のものである。この光路延長部材27は、側面27ａの１つが側壁21ｊ上の３個の位置決め突起21ｔに安定に接し、別の側面27ａが側壁21ｖ上の３個の位置決め突起21ｔに安定に接する状態にして、鏡筒21に取り付けられる。そこで上記位置決め突起21ｔを予め所定形状に形成しておくことにより、光路延長部材27を、その光軸が鏡筒21の中心軸と一致する状態に位置決めすることが可能になる。
【００８０】
なお上記側壁21ｖと向かい合う側壁21ｖに１つあるいは複数の貫通孔21ｗを設けて、そこに通した部材により光路延長部材27を押圧することにより、上記側壁21ｖ上の３個の位置決め突起21ｔに該光路延長部材27を緊密に接触させるようにしてもよい。
【００８１】
次に図１６を参照して、本発明の第１１の実施形態によるレンズユニット210について説明する。なおこの図１６において、レンズ22は省略してある（以下の図１７〜２０も同様）。このレンズユニット210は、１つの側壁21ｘに開口21ｙが形成されるとともに、この開口21ｙの周囲部分において側壁21ｘ上に、レール状の当接部37ａおよび当接突起37ｃが形成されてなるものである。
【００８２】
ここで用いられる光路延長部材27は、図１５に示したものと基本的に同様の直方体状のものであるが、そこにはフランジ28が固定されている。この光路延長部材27は、図中でフランジ28を上側にして、上記開口21ｙから鏡筒21の内部に収められる。このとき、フランジ28の下面28ａが上記当接部37ａおよび当接突起37ｃに当接することにより、該光路延長部材27が位置決めされる。それによりこの場合も光路延長部材27を、その光軸が鏡筒21の中心軸と一致する状態に位置決めすることが可能になる。
【００８３】
次に図１７を参照して、本発明の第１２の実施形態によるレンズユニット211について説明する。このレンズユニット211は、１つの側壁21ｘに開口21ｙが形成されるとともに、この開口21ｙの周囲部分において側壁21ｘ上に、細溝状の当接部37ｂおよび当接突起37ｃが形成されてなるものである。
【００８４】
ここで用いられる光路延長部材27は、図１６に示したものと基本的に同様のものであるが、その下面28ａの一部に、レール状の当接部28ｂを有している。この光路延長部材27は、図中でフランジ28を上側にして、上記開口21ｙから鏡筒21の内部に収められる。このとき、フランジ28の下面28ａが当接突起37ｃに当接するともに、上記レール状の当接部28ｂが細溝状の当接部37ｂに嵌入して当接することにより、該光路延長部材27が位置決めされる。それによりこの場合も光路延長部材27を、その光軸が鏡筒21の中心軸と一致する状態に位置決めすることが可能になる。またこの場合は、レール状の当接部28ｂが細溝状の当接部37ｂに嵌入するので、光路延長部材27が光軸方向に動いてしまうことも防止される。
【００８５】
次に図１８を参照して、本発明の第１３の実施形態によるレンズユニット212について説明する。このレンズユニット212は図１６のレンズユニット210と比べると、当接突起37ｃに代えてもう１つのレール状の当接部37ａが設けられている点が異なるものである。この場合も、２つの当接部37ａの作用により、図１６の実施形態におけるのと同様の効果が得られる。
【００８６】
次に図１９を参照して、本発明の第１４の実施形態によるレンズユニット213について説明する。このレンズユニット213は図１８のレンズユニット212と比べると、２つのレール状当接部37ａに代えて、２つの細溝状当接部37ｂが設けられている点が異なるものである。この場合、図示は省略してあるが、図１７に示したレール状の当接部28ｂを２つ有するフランジ28を持つ光路延長部材27が適用される。そしてこの場合も、基本的に図１７の実施形態におけるのと同様に、光路延長部材27を位置決めする効果が得られる。
【００８７】
次に図２０を参照して、本発明の第１５の実施形態によるレンズユニット214について説明する。このレンズユニット214は、１つの側壁21ｘに開口21ｙが形成されるとともに、この開口21ｙの周囲部分において側壁21ｘ上に、３つの当接突起37ｃと、断面長円形の係合部37ｄと、断面円形の係合部37ｅとが形成されてなるものである。
【００８８】
ここで用いられる光路延長部材27は、図１５に示したものと基本的に同様の直方体状のものであるが、そこにはフランジ28が固定されている。そして該フランジ28には、上記係合部37ｄ、37ｅをそれぞれ緊密に受承する長円形の係合孔28ｄ、円形の係合孔28ｅが形成されている。
【００８９】
光路延長部材27は、図中でフランジ28を上側にして、上記開口21ｙから鏡筒21の内部に収められる。このとき、フランジ28の下面28ａが上記３つの当接突起37ｃに当接することにより、該光路延長部材27が位置決めされる。それによりこの場合も光路延長部材27を、その光軸が鏡筒21の中心軸と一致する状態に位置決めすることが可能になる。またこのとき、上記係合部37ｄ、37ｅがそれぞれ係合孔28ｄ、28ｅに嵌入するので、フランジ28が、つまり光路延長部材27がフランジ下面28ａと平行な面内で回転するように動いてしまうことが防止される。
【００９０】
次に図２１を参照して、本発明の第１６の実施形態によるレンズユニット215について説明する。このレンズユニット215は、図示されている１つの側壁21ｖと、それと向かい合う図示外の側壁に、図示の通りの案内溝21ｑが形成されてなるものである。ここで用いられる直方体状の光路延長部材27は、左右側面から外方に突出した１対の位置決めピン27ｆを有するものである。
【００９１】
光路延長部材27を鏡筒21に取り付ける際には、上記１対の位置決めピン27ｆが案内溝21ｑ内に図中上方から導入され、位置決めピン27ｆが案内溝21ｑの終端に至るまで光路延長部材27が移動される。それによりこの場合も光路延長部材27を、その光軸が鏡筒21の中心軸と一致する状態に位置決めすることが可能になる。
【００９２】
次に図２２を参照して、本発明の第１７の実施形態によるレンズユニット216について説明する。このレンズユニット216は、図２１に示したレンズユニット215と比べると、案内溝の形状が異なるものである。すなわち本実施形態では、一度レンズ22から離れる方向に延びた後、またレンズ22の側に戻る形状をした案内溝21ｚが形成されている。このような案内溝21ｚを設けたことにより、鏡筒21に保持させた光路延長部材27を光軸方向に移動させることも可能になる。そこで、案内溝21ｚの終端位置によって光路延長部材27の光軸方向位置を規定する他に、側壁21ｊに設けた位置決め突起40に光路延長部材27の前端面27ｂを当接させて、その光軸方向位置を規定することも可能になる。
【図１】
2010237261.tif 000003
【図２】
2010237261.tif 000004
【図３】
2010237261.tif 000005
【図４】
2010237261.tif 000006
【図５】
2010237261.tif 000007
【図６】
2010237261.tif 000008
【図７】
2010237261.tif 000009
【図８】
2010237261.tif 000010
【図９】
2010237261.tif 000011
【図１０】
2010237261.tif 000012
【図１１】
2010237261.tif 000013
【図１２】
2010237261.tif 000014
【図１３】
2010237261.tif 000015
【図１４】
2010237261.tif 000016
【図１５】
2010237261.tif 000017
【図１６】
2010237261.tif 000018
【図１７】
2010237261.tif 000019
【図１８】
2010237261.tif 000020
【図１９】
2010237261.tif 000021
【図２０】
2010237261.tif 000022
【図２１】
2010237261.tif 000023
【図２２】
2010237261.tif 000024